(57)【要約】【課題】画像処理装置に対して連続した複数の処理を行わせる場合に、その処理の費用負担先がそれぞれ異なる場合であっても、画像処理装置の処理毎に費用負担先を決定するようにした情報処理装置を提供する。【解決手段】情報処理装置は、利用者情報を受け付ける受付手段と、利用者情報と利用者が画像処理装置を使用した場合に発生する費用を負担する費用負担先の費用負担先情報を対応させて記憶している記憶手段から利用者情報に対応する費用負担先情報を抽出する費用負担先情報抽出手段と、抽出された費用負担先情報を決定する費用負担先決定手段と、費用負担先情報と使用量情報を対応させて出力する出力手段を具備し、費用負担先決定手段は、利用者が画像処理装置に対して処理を行わせる指示を行った後であって画像処理装置による該処理が終了するまでに、費用負担先情報を決定し、処理が終了する毎に決定を解除する。【選択図】図１
2012023563.tif 000002
【特許請求の範囲】
【請求項１】
利用者を示す利用者情報を受け付ける受付手段と、
利用者情報と該利用者情報が示す利用者が画像処理装置を使用した場合に、該使用によって発生する費用を負担する費用負担先を示す費用負担先情報を対応させて記憶している記憶手段から前記受付手段によって受け付けられた利用者情報に対応する費用負担先情報を抽出する費用負担先情報抽出手段と、
前記費用負担先情報抽出手段によって抽出された費用負担先情報を決定する費用負担先決定手段と、
少なくとも前記費用負担先決定手段によって決定された費用負担先情報と前記画像処理装置の使用量を示す使用量情報を対応させて出力する出力手段
を具備し、
前記費用負担先決定手段は、前記利用者が前記画像処理装置に対して処理を行わせる指示を行った後であって該画像処理装置による該処理が終了するまでに、費用負担先情報を決定し、該処理が終了する毎に該決定を解除する
ことを特徴とする情報処理装置。
【請求項２】
前記記憶手段は、利用者情報と該利用者情報が示す利用者が前記画像処理装置を使用する処理の種別を示す種別情報と費用負担先情報を記憶しており、
前記費用負担先情報抽出手段は、前記記憶手段から前記受付手段によって受け付けられた利用者情報及び該利用者情報が示す利用者が前記画像処理装置を使用する処理の種別に対応する費用負担先情報を抽出する
ことを特徴とする請求項１に記載の情報処理装置。
【請求項３】
前記費用負担先決定手段は、前記費用負担先情報抽出手段が、費用負担先情報を前記記憶手段から抽出できなかった場合は、前記受付手段によって受け付けられた利用者情報を費用負担先情報とする
ことを特徴とする請求項１又は２に記載の情報処理装置。
【請求項４】
前記費用負担先決定手段は、前記費用負担先情報抽出手段が抽出した費用負担先情報を提示し、前記利用者の選択操作によって費用負担先情報を決定できるようにし、前記費用負担先情報抽出手段が抽出した費用負担先情報に該利用者の利用者情報が含まれていない場合は、該利用者情報を費用負担先情報として提示する
ことを特徴とする請求項１又は２に記載の情報処理装置。
【請求項５】
前記出力手段は、前記利用者情報、前記費用負担先情報及び前記使用量情報を対応させて出力する
ことを特徴とする請求項１から４のいずれか一項に記載の情報処理装置。
【請求項６】
コンピュータを、
利用者を示す利用者情報を受け付ける受付手段と、
利用者情報と該利用者情報が示す利用者が画像処理装置を使用した場合に、該使用によって発生する費用を負担する費用負担先を示す費用負担先情報を対応させて記憶している記憶手段から前記受付手段によって受け付けられた利用者情報に対応する費用負担先情報を抽出する費用負担先情報抽出手段と、
前記費用負担先情報抽出手段によって抽出された費用負担先情報を決定する費用負担先決定手段と、
少なくとも前記費用負担先決定手段によって決定された費用負担先情報と前記画像処理装置の使用量を示す使用量情報を対応させて出力する出力手段
として機能させるための情報処理プログラムであって、
前記費用負担先決定手段は、前記利用者が前記画像処理装置に対して処理を行わせる指示を行った後であって該画像処理装置による該処理が終了するまでに、費用負担先情報を決定し、該処理が終了する毎に該決定を解除する
ことを特徴とする情報処理プログラム。
【発明の詳細な説明】
【技術分野】
【０００１】
本発明は、情報処理装置及び情報処理プログラムに関する。
【背景技術】
【０００２】
画像処理装置の使用によって発生する費用を負担する費用負担先の決定に関する技術がある。
これに関連する技術として、例えば、特許文献１には、使用者を限定しつつ、他の部門からコピーの依頼があった場合に、当該依頼元部門についてコピー回数の計数を可能とし、費用請求の適正化を図ることを課題とし、使用者が操作パネルより入力した使用部門識別番号が、予め登録されていた識別番号と一致すると、当該識別番号によるコピー動作が許可され、この状態で使用者が、他の識別番号を入力せずにコピーを実行するとそのコピー回数が当該使用部門識別番号に関連付けてカウントされ、使用者が使用部門識別番号のほかにさらに依頼部門識別番号を入力して、コピーを実行した場合には、そのコピー回数は当該依頼部門識別番号に関連付けて記憶され、また、画像データを送信して他の複写機でコピーする場合には、使用者識別番号の入力の後に、当該送信先部門の識別番号を入力して送信モードに設定し、この場合には、送信先部門の識別番号に関連付けて送信した画像データの頁分だけコピー回数がカウントされることが開示されている。
【０００３】
また、例えば、特許文献２には、送信される複数の識別情報別に印刷状況を分類し管理して、印刷状況を識別情報毎に容易に把握することを課題とし、使用者を識別するためのユーザＩＤ，プロジェクトＩＤを予め記憶し、前記各ＩＤ別にデジタル複合機における総印刷枚数を記憶するＨＤと、ＰＣ又はデジタル複合機に含まれるいずれかの装置から送信される識別情報を解析し、デジタル複合機での印刷処理を許可するかどうかを判定するＣＰＵと、前記いずれかの装置に前記判定手段の判定結果を送信するネットワークインタフェースと、デジタル複合機から送信される複数の識別情報と印刷枚数とに基づいてＨＤに記憶される総印刷枚数を更新制御するＣＰＵとをＰＣに備える構成を特徴とすることが開示されている。
【０００４】
また、例えば、特許文献３には、端末の使用者による課金先を選択する入力を容易化することを課題とし、使用者による端末の使用料金が課金される課金先の複数の候補を含むリストを取得する課金先候補取得部と、端末の情報、使用者の情報、及び、端末の処理対象の情報のうち少なくとも１つに従って、各候補の選択処理を実行する選択処理部とを含むことを特徴とする情報処理装置であって、選択処理部は、各候補の表示優先度を、端末の情報等に従って評価する課金先候補判断部と、表示優先度に基づいて少なくとも一部の候補を配置した選択画面を表示装置に表示させてユーザに課金先の選択を促すＵＩ表示制御部と、選択画面からユーザにより入力された候補を課金先として決定するユーザ入力受付部を含む、ことを特徴とする情報処理装置が開示されている。
【先行技術文献】
【特許文献】
【０００５】
【特許文献１】特開平１０−３９７０３号公報
【特許文献２】特開２０００−１０８４６４号公報
【特許文献３】特開２００９−７０２７７号公報
【発明の概要】
【発明が解決しようとする課題】
【０００６】
本発明は、画像処理装置に対して連続した複数の処理を行わせる場合に、その処理の費用負担先がそれぞれ異なる場合であっても、画像処理装置の処理毎に費用負担先を決定するようにした情報処理装置及び情報処理プログラムを提供することを目的としている。
【課題を解決するための手段】
【０００７】
かかる目的を達成するための本発明の要旨とするところは、次の各項の発明に存する。
請求項１の発明は、利用者を示す利用者情報を受け付ける受付手段と、利用者情報と該利用者情報が示す利用者が画像処理装置を使用した場合に、該使用によって発生する費用を負担する費用負担先を示す費用負担先情報を対応させて記憶している記憶手段から前記受付手段によって受け付けられた利用者情報に対応する費用負担先情報を抽出する費用負担先情報抽出手段と、前記費用負担先情報抽出手段によって抽出された費用負担先情報を決定する費用負担先決定手段と、少なくとも前記費用負担先決定手段によって決定された費用負担先情報と前記画像処理装置の使用量を示す使用量情報を対応させて出力する出力手段を具備し、前記費用負担先決定手段は、前記利用者が前記画像処理装置に対して処理を行わせる指示を行った後であって該画像処理装置による該処理が終了するまでに、費用負担先情報を決定し、該処理が終了する毎に該決定を解除することを特徴とする情報処理装置である。
【０００８】
請求項２の発明は、前記記憶手段は、利用者情報と該利用者情報が示す利用者が前記画像処理装置を使用する処理の種別を示す種別情報と費用負担先情報を記憶しており、前記費用負担先情報抽出手段は、前記記憶手段から前記受付手段によって受け付けられた利用者情報及び該利用者情報が示す利用者が前記画像処理装置を使用する処理の種別に対応する費用負担先情報を抽出することを特徴とする請求項１に記載の情報処理装置である。
【０００９】
請求項３の発明は、前記費用負担先決定手段は、前記費用負担先情報抽出手段が、費用負担先情報を前記記憶手段から抽出できなかった場合は、前記受付手段によって受け付けられた利用者情報を費用負担先情報とすることを特徴とする請求項１又は２に記載の情報処理装置である。
【００１０】
請求項４の発明は、前記費用負担先決定手段は、前記費用負担先情報抽出手段が抽出した費用負担先情報を提示し、前記利用者の選択操作によって費用負担先情報を決定できるようにし、前記費用負担先情報抽出手段が抽出した費用負担先情報に該利用者の利用者情報が含まれていない場合は、該利用者情報を費用負担先情報として提示することを特徴とする請求項１又は２に記載の情報処理装置である。
【００１１】
請求項５の発明は、前記出力手段は、前記利用者情報、前記費用負担先情報及び前記使用量情報を対応させて出力することを特徴とする請求項１から４のいずれか一項に記載の情報処理装置である。
【００１２】
請求項６の発明は、コンピュータを、利用者を示す利用者情報を受け付ける受付手段と、利用者情報と該利用者情報が示す利用者が画像処理装置を使用した場合に、該使用によって発生する費用を負担する費用負担先を示す費用負担先情報を対応させて記憶している記憶手段から前記受付手段によって受け付けられた利用者情報に対応する費用負担先情報を抽出する費用負担先情報抽出手段と、前記費用負担先情報抽出手段によって抽出された費用負担先情報を決定する費用負担先決定手段と、少なくとも前記費用負担先決定手段によって決定された費用負担先情報と前記画像処理装置の使用量を示す使用量情報を対応させて出力する出力手段として機能させるための情報処理プログラムであって、前記費用負担先決定手段は、前記利用者が前記画像処理装置に対して処理を行わせる指示を行った後であって該画像処理装置による該処理が終了するまでに、費用負担先情報を決定し、該処理が終了する毎に該決定を解除することを特徴とする情報処理プログラムである。
【発明の効果】
【００１３】
請求項１の情報処理装置によれば、画像処理装置に対して連続した複数の処理を行わせる場合に、その処理の費用負担先がそれぞれ異なる場合であっても、画像処理装置の処理毎に費用負担先を決定することができる。
【００１４】
請求項２の情報処理装置によれば、利用者情報と画像処理装置を使用する処理の種別に応じて費用負担先を対応させることができる。
【００１５】
請求項３の情報処理装置によれば、費用負担先情報が抽出できなかった場合であっても利用者情報を費用負担先情報とすることができる。
【００１６】
請求項４の情報処理装置によれば、記憶手段に費用負担先情報として利用者情報を含めていなくても、その利用者情報を費用負担先情報として選択できるようになる。
【００１７】
請求項５の情報処理装置によれば、画像処理装置に対して操作を行った利用者の利用者情報も出力することができる。
【００１８】
請求項６の情報処理プログラムによれば、画像処理装置に対して連続した複数の処理を行わせる場合に、その処理の費用負担先がそれぞれ異なる場合であっても、画像処理装置の処理毎に費用負担先を決定することができる。
【図面の簡単な説明】
【００１９】
【図１】本実施の形態の構成例についての概念的なモジュール構成図である。
【図２】本実施の形態の実現する場合のシステム構成（１）の例を示す説明図である。
【図３】本実施の形態の実現する場合のシステム構成（２）の例を示す説明図である。
【図４】本実施の形態による処理例（１）を示すフローチャートである。
【図５】本実施の形態による処理例（２）を示すフローチャートである。
【図６】本実施の形態による処理例（３）を示すフローチャートである。
【図７】本実施の形態が提示する費用負担先選択画面（１）の例を示す説明図である。
【図８】利用者ＩＤと費用負担先ＩＤの関係を示すデータ構造例を示す説明図である。
【図９】計数値・費用負担先ＩＤ対応テーブル（１）の例を示す説明図である。
【図１０】計数値・費用負担先ＩＤ対応テーブル（２）の例を示す説明図である。
【図１１】本実施の形態が提示する費用負担先選択画面（２）の例を示す説明図である。
【図１２】本実施の形態が提示する費用負担先選択画面（３）の例を示す説明図である。
【図１３】利用者ＩＤとジョブ種別と費用負担先ＩＤの関係を示すデータ構造例を示す説明図である。
【図１４】費用負担先・ジョブ種別対応テーブルのデータ構造例を示す説明図である。
【図１５】本実施の形態が提示するメニュー画面の例を示す説明図である。
【図１６】本実施の形態が提示するプリントジョブ選択画面の例を示す説明図である。
【図１７】本実施の形態を実現するコンピュータのハードウェア構成例を示すブロック図である。
【発明を実施するための形態】
【００２０】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続のほか、論理的な接続（データの授受、指示、データ間の参照関係等）の場合にも用いる。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２１】
本実施の形態である情報処理装置１００は、画像処理装置の使用によって発生する費用を負担する費用負担先を決定するものであって、図１の例に示すように、制御モジュール１１０、受付モジュール１２０、費用負担先抽出モジュール１３０、利用者ＩＤ・費用負担先ＩＤ記憶モジュール１４０、費用負担先決定モジュール１５０、計数値記憶制御モジュール１６０、実行モジュール１７０、計数モジュール１８０、計数値・費用負担先ＩＤ記憶モジュール１９０を有している。
【００２２】
制御モジュール１１０は、情報処理装置１００内の各モジュールを制御する。特に、費用負担先決定モジュール１５０が処理を行うタイミングに関して、特に、費用負担先決定モジュール１５０と実行モジュール１７０が処理を行うタイミングの関係についての制御を行う。
受付モジュール１２０は、費用負担先抽出モジュール１３０と接続されており、利用者を示す利用者情報を受け付け、利用者情報を費用負担先抽出モジュール１３０に渡す。利用者情報としては、利用者を一意に識別する利用者識別子（以下、利用者ＩＤ（ＩＤｅｎｔｉｆｉｃａｔｉｏｎ）ともいう）等が該当する。ただし、画像処理装置を利用する利用者を特定できればよく、氏名等であってもよい。また、利用者情報の受け付けは、キーボード、タッチパネル等に対する利用者の操作によって利用者ＩＤを受け取ること、利用者が所持しており、その利用者の利用者ＩＤが記憶されているカード（磁気カード、ＩＣカード等）をカード読取機によって読み取ること、カードを示すカード識別子（カードＩＤ）を記憶しているカードをカード読取機によって読み取り、そのカードＩＤに対応する利用者ＩＤを取得すること、画像処理装置に備え付けられたタッチパネル等の提示装置に利用者ＩＤを提示してそれを利用者によって選択させること、予め画像処理装置に利用者ＩＤを設定しておき、その設定を読み出すこと、又は画像処理装置を使用する処理の指示（例えば、プリントジョブと言われる他のＰＣ（Ｐｅｒｓｏｎａｌ  Ｃｏｍｐｕｔｅｒ）等から送信されてきた印刷指示等）内に利用者ＩＤが設定されており、その指示から抽出すること等がある。
また、受付モジュール１２０は、利用者情報を受け付けるとともに、その利用者情報が示す利用者を認証するようにしてもよい。認証とは、利用者情報が示す利用者は、画像処理装置を使用できる権限を有している者であることを確認する処理をいう。例えば、暗証番号の照合、生体認証等がある。
【００２３】
利用者ＩＤ・費用負担先ＩＤ記憶モジュール１４０は、費用負担先抽出モジュール１３０と接続されている。利用者情報とその利用者情報が示す利用者が画像処理装置を使用した場合に、その使用によって発生する費用を負担する費用負担先を示す費用負担先情報を対応させて記憶装置に記憶している。具体例として、図８を用いて後述する。
費用負担先情報としては、費用負担先を一意に識別する費用負担先識別子（以下、費用負担先ＩＤともいう）等が該当する。ただし、使用によって発生する費用を負担する費用負担先を特定できればよく、部門名、組織名等であってもよい。
また、利用者ＩＤ・費用負担先ＩＤ記憶モジュール１４０は、利用者情報とその利用者情報が示す利用者が画像処理装置を使用する処理の種別を示す種別情報と費用負担先情報を記憶装置に記憶していてもよい。具体例として、図１３を用いて後述する。
【００２４】
費用負担先抽出モジュール１３０は、受付モジュール１２０、利用者ＩＤ・費用負担先ＩＤ記憶モジュール１４０、費用負担先決定モジュール１５０と接続されている。利用者ＩＤ・費用負担先ＩＤ記憶モジュール１４０から受付モジュール１２０によって受け付けられた利用者情報に対応する費用負担先情報を抽出し、費用負担先情報を費用負担先決定モジュール１５０に渡す。
また、費用負担先抽出モジュール１３０は、利用者ＩＤ・費用負担先ＩＤ記憶モジュール１４０から受付モジュール１２０によって受け付けられた利用者情報及びその利用者情報が示す利用者が画像処理装置を使用する処理の種別に対応する費用負担先情報を抽出するようにしてもよい。
【００２５】
費用負担先決定モジュール１５０は、費用負担先抽出モジュール１３０、計数値記憶制御モジュール１６０と接続されている。費用負担先抽出モジュール１３０によって抽出された費用負担先情報のうち、後述の使用量と対応付ける費用負担先情報を決定する。費用負担先決定モジュール１５０は、利用者の操作によって決定するようにしてもよい。例えば、抽出された複数の費用負担先情報を画像処理装置の提示装置に提示し、選択された費用負担先情報を使用量と対応付ける費用負担先情報として決定するようにしてもよい。なお、提示するのは費用負担先情報そのものであってもよいし、費用負担先情報が示す費用負担先の名称であってもよい。そして、費用負担先決定モジュール１５０は、制御モジュール１１０の制御にしたがって、利用者が画像処理装置に対して処理を行わせる指示を行った後であってその画像処理装置によるその処理が終了するまでに、費用負担先情報を決定し、その処理が終了する毎にその決定を解除する。この処理の具体例として、図６を用いて後述する。費用負担先情報の決定としては、利用者の操作によって負担先を選択する行為（例えば、図４のステップＳ４２０、図５のステップＳ５３０、図６のステップＳ６３０の処理が該当する）、又は負担先を設定する処理（例えば、図４のステップＳ４２１、図５のステップＳ５３１、図６のステップＳ６３２の処理が該当する）のいずれであってもよい。
なお、画像処理装置を使用する処理をジョブともいう。ジョブとは、利用者による指示操作によって画像処理装置が処理を行い、その処理が終了（正常終了、異常終了を含む）するまでの単位をいう。例えば、５枚の複写を行わせる指示操作に対して、画像処理装置が５枚の複写の処理を行うことをいい、その場合における１枚毎の複写処理は、ここではジョブではなく、ジョブの一部である。特に、利用者による操作指示として、スタートボタンを選択する操作指示が該当する。
【００２６】
また、費用負担先決定モジュール１５０は、費用負担先抽出モジュール１３０が、費用負担先情報を利用者ＩＤ・費用負担先ＩＤ記憶モジュール１４０から抽出できなかった場合は、受付モジュール１２０によって受け付けられた利用者情報を費用負担先情報とするようにしてもよい。
また、費用負担先決定モジュール１５０は、費用負担先抽出モジュール１３０が抽出した費用負担先情報を提示し、利用者の選択操作によって費用負担先情報を決定できるようにし、費用負担先抽出モジュール１３０が抽出した費用負担先情報にその利用者の利用者情報が含まれていない場合は、その利用者情報を費用負担先情報として提示するようにしてもよい。具体例として、図１１を用いて後述する。
【００２７】
計数値記憶制御モジュール１６０は、費用負担先決定モジュール１５０、計数モジュール１８０、計数値・費用負担先ＩＤ記憶モジュール１９０と接続されている。少なくとも費用負担先決定モジュール１５０によって決定された費用負担先情報と画像処理装置の使用量を示す使用量情報を対応させて出力する。例えば、費用負担先情報と使用量情報を対応させて計数値・費用負担先ＩＤ記憶モジュール１９０に記憶させる。なお、使用量は費用計算のもととなる情報であり、具体的には、例えば、複写枚数、プリントアウト枚数等が該当する。使用量のことを以下計算値ともいう。
また、計数値記憶制御モジュール１６０は、利用者情報、費用負担先情報及び使用量情報を対応させて出力するようにしてもよい。
また、計数値記憶制御モジュール１６０は、ジョブを行った日時（年月日、時分秒等を含めてもよい）を含めて出力してもよい。また、画像処理装置を示す画像処理装置識別子（画像処理装置ＩＤ）を含めて出力してもよい。
【００２８】
実行モジュール１７０は、計数モジュール１８０と接続されている。実行モジュール１７０は、利用者の指示に基づいて、ジョブを実行する画像処理装置である。又は画像処理装置を制御して、ジョブを実行させる。
計数モジュール１８０は、計数値記憶制御モジュール１６０、実行モジュール１７０と接続されている。実行モジュール１７０によるジョブの実行による使用量を計数する。例えば、画像処理装置が読み込み又は出力した用紙を計数することであり、以下、使用量として計数値を例示する。より具体的な例として、ジョブが複写の場合は複写枚数であり、プリントアウトの場合はその枚数であり、スキャナを用いた画像の入力の場合は読み込んだ枚数であり、ファックスの場合は送信又は受信した枚数である。なお、処理対象は白黒であるのか、カラーであるのかを使用量内に含めてもよい。また、処理対象の用紙サイズを使用量内に含めてもよい。
計数値・費用負担先ＩＤ記憶モジュール１９０は、計数値記憶制御モジュール１６０と接続されている。計数値記憶制御モジュール１６０が出力した情報を記憶する。具体例として、図９、図１０を用いて後述する。
【００２９】
図２は、本実施の形態を実現する場合のシステム構成（１）の例を示す説明図である。
複合機２１０、ＩＤ情報管理サーバ２２０、計数値記録サーバ２３０は、通信回線２４０を介してそれぞれ接続されている。
複合機２１０は、画像処理装置の一種であって、スキャナ、プリンタ、複写機、ファックス等のいずれか２つ以上の機能を有している。利用者２９０の操作によって、ジョブを実行する。また、その実行によって発生する費用を負担する費用負担先ＩＤをＩＤ情報管理サーバ２２０を用いて決定し、その実行による計数値を費用負担先ＩＤとともに計数値記録サーバ２３０に出力する。図１に例示した制御モジュール１１０、受付モジュール１２０、費用負担先抽出モジュール１３０、費用負担先決定モジュール１５０、計数値記憶制御モジュール１６０、実行モジュール１７０、計数モジュール１８０を有している。
ＩＤ情報管理サーバ２２０は、利用者ＩＤと費用負担先ＩＤの対応、又は利用者ＩＤとジョブ種別と費用負担先ＩＤの対応を記憶しており、図１に例示した費用負担先抽出モジュール１３０、利用者ＩＤ・費用負担先ＩＤ記憶モジュール１４０を有している。
計数値記録サーバ２３０は、複合機２１０が出力した費用負担先ＩＤと計数値の対応を記憶し、図１に例示した計数値・費用負担先ＩＤ記憶モジュール１９０を有している。
なお、複合機２１０は、複写機、ファックス、スキャナ、プリンタ等であってもよい。また、それぞれ複数設置されていてもよい。また、ＩＤ情報管理サーバ２２０、計数値記録サーバ２３０を、１つの機器で実装してもよい。
【００３０】
図３は、本実施の形態を実現する場合のシステム構成（２）の例を示す説明図である。
複合機３１０は、図２に例示の複合機２１０に該当するが、さらに、複合機３１０内にＩＤ情報記憶装置３２０、計数値情報記憶装置３３０がある。ＩＤ情報記憶装置３２０は、図１に例示した利用者ＩＤ・費用負担先ＩＤ記憶モジュール１４０に該当する。計数値情報記憶装置３３０は、図１に例示した計数値・費用負担先ＩＤ記憶モジュール１９０に該当する。つまり、複合機３１０は、図１に例示した情報処理装置１００を含んでいる例である。
【００３１】
図４は、本実施の形態による処理例（１）を示すフローチャートである。
利用者２９０の認証時に、併せて費用負担先を設定する構成のシーケンス例を示している。この場合は、認証が解除されるまで同じ費用負担先ＩＤを用いることになる。なお、図２に例示した構成を用いて説明しているが、図３に例示の構成であってもよい。
ステップＳ４１０では、利用者２９０は複合機２１０のカード読取機の上にカードをかざす。複合機２１０の受付モジュール１２０は、そのカード内に記憶されているカードＩＤを読み込む。
ステップＳ４１１では、複合機２１０の受付モジュール１２０は、ＩＤ情報管理サーバ２２０に対して、認証を要求する。つまり、読み込んだカードＩＤに対応する利用者ＩＤの利用者は、複合機２１０を使用する権限があるか否かを問い合わせる。以下、利用者ＩＤの利用者は、複合機２１０を使用する権限がある場合の処理について説明する。
ステップＳ４１２では、ＩＤ情報管理サーバ２２０は、複合機２１０の受付モジュール１２０に対して、認証結果として利用者ＩＤを渡す。
【００３２】
ステップＳ４１３では、複合機２１０はＩＤ情報管理サーバ２２０に対して、利用者ＩＤを渡して費用負担先ＩＤを要求する。
ステップＳ４１４では、ＩＤ情報管理サーバ２２０の費用負担先抽出モジュール１３０は利用者ＩＤ・費用負担先ＩＤ記憶モジュール１４０を検索して、費用負担先ＩＤの集合を抽出して、複合機２１０の費用負担先決定モジュール１５０に対して、費用負担先ＩＤ許可リストを渡す。例えば、利用者ＩＤ・費用負担先ＩＤ記憶モジュール１４０内のデータ構造が、図８に例示のようなデータ構造である場合について説明する。図８は、利用者ＩＤと費用負担先ＩＤの関係を示すデータ構造例を示す説明図である。利用者ＩＤ集合８１０は、費用負担先ＩＤ集合８２０、費用負担先ＩＤ集合８３０、費用負担先ＩＤ集合８４０と関連付けられている。つまり、利用者ＩＤ集合８１０には１つ以上の利用者ＩＤが記憶されており、それぞれの利用者に対して費用負担先ＩＤ集合（費用負担先ＩＤがない集合、費用負担先ＩＤが１つの集合を含む）が対応付けられている。例えば、利用者ＩＤ：Ｕｓｅｒ００１には、費用負担先ＩＤ集合８２０が対応付けられており、費用負担先ＩＤとしてＡＡ００００１、ＡＡ００００２、ＢＢ００００１、ＢＢ００００２がある。費用負担先抽出モジュール１３０は、利用者ＩＤに対応する費用負担先ＩＤを抽出する。抽出した費用負担先ＩＤの集合を費用負担先ＩＤ許可リストとして、複合機２１０の費用負担先決定モジュール１５０に渡す。
【００３３】
ステップＳ４１５では、複合機２１０の費用負担先決定モジュール１５０は、複合機２１０に備え付けられている提示装置に費用負担先一覧を提示する。つまり、ステップＳ４１４で受け取った費用負担先ＩＤ許可リストを提示する。図７は、本実施の形態が提示する費用負担先選択画面７００の例を示す説明図である。費用負担先決定モジュール１５０は、費用負担先選択画面７００内に費用負担先選択ボタン７１０〜７４０を提示している。費用負担先選択ボタン７１０〜７４０は、前述の図８に例示した利用者ＩＤ：Ｕｓｅｒ００１に対応する費用負担先ＩＤを示している。
【００３４】
ステップＳ４２０では、利用者２９０は、提示された負担先を選択し、複合機２１０の費用負担先決定モジュール１５０が受け取る。
ステップＳ４２１では、複合機２１０の費用負担先決定モジュール１５０は、費用負担先ＩＤを負担先として設定する。なお、負担先の設定とは、ステップＳ４３２の処理で計数値とともに、計数値記録サーバ２３０へ送信できるように、メモリ内の負担先変数に費用負担先ＩＤを記憶させることである。
【００３５】
ステップＳ４３０では、利用者２９０は複合機２１０に対し、ジョブ実行を指示する。例えば、複写実行を指示する。また、このジョブの終了とは、図４では、ステップＳ４３３の処理終了までを例示している。
ステップＳ４３１では、複合機２１０の実行モジュール１７０は、ジョブを実行する。例えば、複写処理を実行する。
【００３６】
ステップＳ４３２では、複合機２１０の計数値記憶制御モジュール１６０は、計数値記録サーバ２３０の計数値・費用負担先ＩＤ記憶モジュール１９０へジョブによって発生した計数値を記録する。例えば、計数値とともに少なくとも費用負担先ＩＤを記録する。また、その他の情報、例えば、利用者ＩＤを加えて記録してもよい。
また、例えば、ジョブが行われた日時、費用負担先ＩＤ、計数値を記録する場合、計数値・費用負担先ＩＤ対応テーブル９００を計数値・費用負担先ＩＤ記憶モジュール１９０に記憶させる。図９は、計数値・費用負担先ＩＤ対応テーブル９００の例を示す説明図である。計数値・費用負担先ＩＤ対応テーブル９００は、日時欄９１０、費用負担先ＩＤ欄９２０、計数値欄９３０を有している。日時欄９１０は、ジョブが行われた日時を記憶する。費用負担先ＩＤ欄９２０は、費用負担先ＩＤを記憶する。計数値欄９３０は、計数値を記憶する。
また、例えば、ジョブが行われた日時、利用者ＩＤ、ジョブ種別、費用負担先ＩＤ、計数値を記録する場合、計数値・費用負担先ＩＤ対応テーブル１０００を計数値・費用負担先ＩＤ記憶モジュール１９０に記憶させる。
図１０は、計数値・費用負担先ＩＤ対応テーブル１０００の例を示す説明図である。計数値・費用負担先ＩＤ対応テーブル１０００は、日時欄１０１０、利用者ＩＤ欄１０２０、ジョブ種別欄１０３０、費用負担先ＩＤ欄１０４０、計数値欄１０５０を有している。日時欄１０１０は、ジョブが行われた日時を記憶する。利用者ＩＤ欄１０２０は、利用者ＩＤを記憶する。ジョブ種別欄１０３０は、実行されたジョブのジョブ種別を記憶する。費用負担先ＩＤ欄１０４０は、費用負担先ＩＤを記憶する。計数値欄１０５０は、計数値を記憶する。
なお、計数値記録サーバ２３０は、費用負担先ＩＤ毎に計算値を用いた費用の負担額を計算し、その費用負担先ＩＤの負担先に負担額を請求する処理を行う。また、対応する利用者ＩＤの利用者は正当な者であるか否かを確認するようにしてもよい。
ステップＳ４３３では、計数値記録サーバ２３０は複合機２１０に、記録結果（正常に終了したことを示す情報等）を渡す。
【００３７】
ステップＳ４４０では、利用者２９０は複合機２１０に対し、認証解除を指示する。つまり、利用者２９０による複合機２１０に対するジョブ指示が終了したことを指示する。例えば、カードをカード読取機からはずす等が該当する。
ステップＳ４４１では、複合機２１０の費用負担先決定モジュール１５０は、負担先の設定を解除する。つまり、費用負担先に設定されている費用負担先ＩＤを削除する。
ステップＳ４４２では、複合機２１０は、認証を解除する。
【００３８】
図５は、本実施の形態による処理例（２）を示すフローチャートである。
費用負担先の設定を、認証直後ではなく、ジョブ実行の直前又はジョブ実行までの任意のタイミングで行うよう構成したシーケンス例を示している。この場合は、認証が解除されるまで同じ費用負担先ＩＤを用いることとなる。なお、図２に例示した構成を用いて説明しているが、図３に例示の構成であってもよい。
ステップＳ５１０からステップＳ５１２までの処理は、図４に例示したフローチャートのステップＳ４１０からステップＳ４１２までの処理と同等である。
【００３９】
ステップＳ５２０では、利用者２９０は複合機２１０に対し、ジョブ実行を指示する。例えば、複写実行を指示する。
ステップＳ５２１では、複合機２１０は、ジョブ実行を保留する。つまり、ステップＳ５３２まで実行モジュール１７０は、指示されたジョブ実行を保留する。
ステップＳ５２２からステップＳ５２４までの処理は、図４に例示したフローチャートのステップＳ４１３からステップＳ４１５までの処理と同等である。
【００４０】
ステップＳ５３０からステップＳ５３１までの処理は、図４に例示したフローチャートのステップＳ４２０からステップＳ４２１までの処理と同等である。
ステップＳ５３２からステップＳ５３４までの処理は、図４に例示したフローチャートのステップＳ４３１からステップＳ４３３までの処理と同等である。
これ以降は、図４に例示したフローチャートのステップＳ４３０以下の処理を行う。つまり、ジョブが繰り返して実行される場合は、ステップＳ４３０からステップＳ４３３までの処理を繰り返し、最後にステップＳ４４０からステップＳ４４２までの処理を行う。
【００４１】
図６は、本実施の形態による処理例（３）を示すフローチャートである。費用負担先ＩＤの設定を、ジョブ実行毎に行うよう構成するシーケンス例を示している。この場合、一回の利用者ＩＤの受け付けで、複数の費用負担先ＩＤを使い分けることになり、費用負担先ＩＤを変更する毎に都度利用者ＩＤの受け取りをやり直すことは不要になり、費用負担先ＩＤはジョブが完了する毎に解除されることとなる。なお、図２に例示した構成を用いて説明しているが、図３に例示の構成であってもよい。
ステップＳ６１０からステップＳ６１２までの処理は、図４に例示したフローチャートのステップＳ４１０からステップＳ４１２までの処理と同等である。
【００４２】
ステップＳ６２０からステップＳ６２４までの処理は、図５に例示したフローチャートのステップＳ５２０からステップＳ５２４までの処理と同等である。
ステップＳ６３０では、利用者２９０は、提示された負担先を選択し、複合機２１０の費用負担先決定モジュール１５０が受け取る。
ステップＳ６３１では、複合機２１０の実行モジュール１７０は、ジョブを実行する。例えば、複写処理を実行する。また、ジョブの終了とは、図６ではステップＳ６３５の処理終了までを例示している。なお、ジョブの終了は、ステップＳ６３２の処理終了後であれば、ステップＳ６３３、ステップＳ６３４、ステップＳ６３５の処理前であってもよい。
ステップＳ６３２では、複合機２１０の費用負担先決定モジュール１５０は、ステップＳ６３０で選択された費用負担先ＩＤを負担先として設定する。なお、ステップＳ６３２の処理は、ステップＳ６３０の後であって、ステップＳ６３１の前であってもよい。また、負担先の設定とは、ステップＳ６３３の処理で計数値とともに、計数値記録サーバ２３０へ送信できるように、メモリ内の負担先変数に費用負担先ＩＤを記憶させることである。
なお、ステップＳ６３２の処理を行った後にステップＳ６３１の処理を行ってもよい。
【００４３】
ステップＳ６３３では、複合機２１０の計数値記憶制御モジュール１６０は、計数値記録サーバ２３０の計数値・費用負担先ＩＤ記憶モジュール１９０へジョブによって発生した計数値を記録する。例えば、計数値とともに少なくとも費用負担先ＩＤを記録する。図４に例示したステップＳ４３２の処理と同等である。
ステップＳ６３４では、計数値記録サーバ２３０は複合機２１０に、記録結果（正常に終了したことを示す情報等）を渡す。
ステップＳ６３５では、複合機２１０の費用負担先決定モジュール１５０は、負担先の設定を解除する。つまり、費用負担先に設定されている費用負担先ＩＤを削除する。
【００４４】
ジョブの実行毎に、ステップＳ６２０からステップＳ６２４までの処理とステップＳ６３０からステップＳ６３５までの処理を繰り返す。
ステップＳ６４０では、利用者２９０は複合機２１０に対し、認証解除を指示する。つまり、利用者２９０による複合機２１０に対するジョブ指示が終了したことを指示する。例えば、カードをカード読取機からはずす等が該当する。
ステップＳ６４１では、複合機２１０は、認証を解除する。
【００４５】
なお、費用負担先決定モジュール１５０は、利用者ＩＤに対応付けられている費用負担先ＩＤが１つの場合には、選択画面を提示させずに、その費用負担先ＩＤに決定するようにしてもよい。この場合、図４、図５、図６に例示のフローチャートにおいて、ステップＳ４１５、ステップＳ５２４、ステップ６２４の処理の前に、抽出された費用負担先ＩＤが１つか否かを判断し、複数であればその後の処理を続け、１つであれば、ステップＳ４１５、ステップＳ４２０、ステップＳ５２４、ステップＳ５３０、ステップ６２４、ステップＳ６３０の処理を行わずに、その抽出された１つの費用負担先ＩＤを費用負担先ＩＤとして決定する。
【００４６】
図１１は、本実施の形態の費用負担先決定モジュール１５０が提示する費用負担先選択画面１１００の例を示す説明図である。なお、この提示処理は、図４に例示したフローチャート内のステップＳ４１５、図５に例示したフローチャート内のステップＳ５２４、図６に例示したフローチャート内のステップＳ６２４で行われるものである。費用負担先抽出モジュール１３０が抽出した費用負担先ＩＤにその利用者の利用者ＩＤが含まれていない場合は、その利用者ＩＤを費用負担先ＩＤとして提示する例を示している。費用負担先ＩＤとして、利用者ＩＤも含めるようにしている場合、特別の費用負担先を必要としない利用者は、利用者ＩＤ・費用負担先ＩＤ記憶モジュール１４０への登録作業が不要である。この例では、費用負担先決定モジュール１５０は、費用負担先選択画面１１００内に費用負担先選択ボタン１１１０〜１１５０を提示している。つまり、費用負担先選択ボタン１１１０は利用者ＩＤを示しており、図８に例示するようなデータが利用者ＩＤ・費用負担先ＩＤ記憶モジュール１４０に記憶されている場合（つまり、利用者ＩＤに対してその利用者ＩＤが費用負担先ＩＤとして登録されていない場合）であっても、利用者ＩＤを提示している。
【００４７】
図１２は、本実施の形態費用負担先決定モジュール１５０が提示する費用負担先選択画面１２００の例を示す説明図である。なお、この提示処理は、図４に例示したフローチャート内のステップＳ４１５、図５に例示したフローチャート内のステップＳ５２４、図６に例示したフローチャート内のステップＳ６２４で行われるものである。費用負担先決定モジュール１５０は、費用負担先選択画面１２００内に費用負担先記入欄１２１０を提示して、利用者の操作によって費用負担先ＩＤを記載させるようにしている。これは、費用負担先ＩＤの選択肢を提示する代わりに、利用者の操作により費用負担先ＩＤを記載させるようにしたものである。記載後、利用者ＩＤ・費用負担先ＩＤ記憶モジュール１４０に登録されている費用負担先ＩＤとの照合が行われる。例えば、利用者ＩＤに関連付けられている費用負担先ＩＤの数が予め定められた値よりも多い場合には、費用負担先ＩＤの選択肢を抽出するのではなく、利用者の操作によって費用負担先ＩＤを記載させるようにしてもよい。
【００４８】
また、利用者ＩＤ・費用負担先ＩＤ記憶モジュール１４０内のデータ構造として、図８の例を示したが、図１３に例示するデータ構造としてもよい。図１３は、利用者ＩＤとジョブ種別と費用負担先ＩＤの関係を示すデータ構造例を示す説明図である。
利用者ＩＤ集合１３１０は、ジョブ種別集合１３２０と関連付けられており、ジョブ種別集合１３２０は、費用負担先ＩＤ集合１３３０、費用負担先ＩＤ集合１３４０、費用負担先ＩＤ集合１３５０と関連付けられている。つまり、利用者ＩＤ集合１３１０には１つ以上の利用者ＩＤが記憶されており、それぞれの利用者に対してジョブ種別の集合（ジョブ種別がない集合、ジョブ種別が１つの集合を含む）が対応付けられている。そして、それぞれのジョブ種別に対して費用負担先ＩＤ集合が対応付けられている。例えば、利用者ＩＤ：Ｕｓｅｒ００１には、コピー、プリント、その他を含むジョブ種別集合１３２０が対応付けられており、コピーには費用負担先ＩＤ集合１３３０、プリントには費用負担先ＩＤ集合１３４０、その他には費用負担先ＩＤ集合１３５０がそれぞれ対応付けられている。
【００４９】
費用負担先抽出モジュール１３０は、利用者ＩＤに対応するジョブ種別集合を抽出する。そして、既にジョブが決定されている場合は、抽出されたジョブ種別集合内から該当するジョブ種別を抽出し、そのジョブ種別に対応する費用負担先ＩＤを抽出する。抽出した費用負担先ＩＤの集合を費用負担先ＩＤ許可リストとして、複合機２１０の費用負担先決定モジュール１５０に渡す。例えば、図５、図６に例示したフローチャートの場合は、ジョブの実行指示が行われた後に、費用負担先ＩＤを決定するので、利用者ＩＤとジョブ種別に対応する費用負担先ＩＤを抽出する。
【００５０】
また、利用者ＩＤ・費用負担先ＩＤ記憶モジュール１４０内のデータ構造として、図１３の例を示したが、図１４に例示するデータ構造としてもよい。図１４は、費用負担先・ジョブ種別対応テーブル１４００のデータ構造例を示す説明図である。費用負担先・ジョブ種別対応テーブル１４００は、利用者ＩＤ欄１４１０、費用負担先ＩＤ欄１４２０、ジョブ種別欄１４３０を有しており、ジョブ種別欄１４３０は、コピー（カラー）欄１４３２、コピー（白黒）欄１４３４、プリント（カラー）欄１４３６、プリント（白黒）欄１４３８、その他欄１４４０を有している。これは、利用者ＩＤに対して１つ以上の費用負担先ＩＤを対応付け、ジョブ種別毎にその費用負担先ＩＤの費用負担先が費用を負担するか否かを示している。例えば、利用者ＩＤ：Ｕｓｅｒ００１には、費用負担先ＩＤ：ＡＡ００００１はジョブ種別としてコピー（カラー）、コピー（白黒）、プリント（カラー）、プリント（白黒）、その他の費用負担先となり得ることを示しており、費用負担先ＩＤ：ＡＡ００００２はジョブ種別としてコピー（白黒）、プリント（白黒）、その他の費用負担先となり得ることを示している。
【００５１】
例えば、図１３、図１４に例示のデータ構造を用いて、ジョブ実行の指示を受け付けるために、画像処理装置の提示装置に提示する画面の例を図１５、図１６に示す。図１５は、本実施の形態が提示するメニュー画面の例を示す説明図である。
メニュー画面１５００は、利用者ＩＤ表示領域１５１０、費用負担先表示領域１５２０、変更ボタン１５３０、コピーボタン１５４１、プリントボタン１５４２、ＦＡＸボタン１５４３、スキャンボタン１５４４、機能Ｘボタン１５４５、機能Ｙボタン１５４６、メニュー選択領域１５５０を有している。利用者ＩＤと費用負担先ＩＤが決定された後に、実行モジュール１７０はメニュー画面１５００を表示する。そして、利用者ＩＤと費用負担先ＩＤの組み合わせにおいて、その費用負担先ＩＤが費用を負担しないジョブ種別を示すボタンは薄く表示等をして、そのボタンを選択できないように制御してもよい。
【００５２】
図１６は、本実施の形態が提示するプリントジョブ選択画面の例を示す説明図である。
プリントジョブ選択画面１６００は、利用者ＩＤ表示領域１６１０、費用負担先表示領域１６２０、変更ボタン１６３０、プリントジョブ表示領域１６４０、削除ボタン１６５０、プリントボタン１６６０を有している。利用者ＩＤと費用負担先ＩＤが決定された後に、実行モジュール１７０はプリントジョブ選択画面１６００を表示する。そして、利用者ＩＤと費用負担先ＩＤの組み合わせにおいて、その費用負担先ＩＤが費用を負担しないジョブ種別を示すプリントジョブのボタンは薄く表示等をして、そのボタンを選択できないように制御してもよい。例えば、プリント（カラー）のジョブ種別はその費用負担先では費用を負担しない場合には、カラーでプリントアウトすることが含まれているジョブのボタンを選択できないように制御してもよい。
【００５３】
図１７を参照して、本実施の形態の情報処理装置を含む画像処理装置のハードウェア構成例について説明する。図１７に示す構成は、例えばパーソナルコンピュータ（ＰＣ）などによって構成されるものであり、スキャナ等のデータ読み取り部１７１７と、プリンタなどのデータ出力部１７１８を備えたハードウェア構成例を示している。
【００５４】
ＣＰＵ（Ｃｅｎｔｒａｌ  Ｐｒｏｃｅｓｓｉｎｇ  Ｕｎｉｔ）１７０１は、前述の実施の形態において説明した各種のモジュール、すなわち、制御モジュール１１０、費用負担先抽出モジュール１３０、費用負担先決定モジュール１５０、計数値記憶制御モジュール１６０等の各モジュールの実行シーケンスを記述したコンピュータ・プログラムにしたがった処理を実行する制御部である。
【００５５】
ＲＯＭ（Ｒｅａｄ  Ｏｎｌｙ  Ｍｅｍｏｒｙ）１７０２は、ＣＰＵ１７０１が使用するプログラムや演算パラメータ等を格納する。ＲＡＭ（Ｒａｎｄｏｍ  Ａｃｃｅｓｓ  Ｍｅｍｏｒｙ）１７０３は、ＣＰＵ１７０１の実行において使用するプログラムや、その実行において適宜変化するパラメータ等を格納する。これらはＣＰＵバスなどから構成されるホストバス１７０４により相互に接続されている。
【００５６】
ホストバス１７０４は、ブリッジ１７０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１７０６に接続されている。
【００５７】
キーボード１７０８、マウス等のポインティングデバイス１７０９は、操作者により操作される入力デバイスである。ディスプレイ１７１０は、液晶表示装置又はＣＲＴ（Ｃａｔｈｏｄｅ  Ｒａｙ  Ｔｕｂｅ）などがあり、各種情報をテキストやイメージ情報として表示する。
【００５８】
ＨＤＤ（Ｈａｒｄ  Ｄｉｓｋ  Ｄｒｉｖｅ）１７１１は、ハードディスクを内蔵し、ハードディスクを駆動し、ＣＰＵ１７０１によって実行するプログラムや情報を記録又は再生させる。ハードディスクには、計数値・費用負担先ＩＤ対応テーブル、利用者ＩＤと費用負担先ＩＤの関係を示すデータ、利用者ＩＤとジョブ種別と費用負担先ＩＤの関係を示すデータなどが格納される。さらに、その他の各種のデータ処理プログラム等、各種コンピュータ・プログラムが格納される。
【００５９】
ドライブ１７１２は、装着されている磁気ディスク、光ディスク、光磁気ディスク、又は半導体メモリ等のリムーバブル記録媒体１７１３に記録されているデータ又はプログラムを読み出して、そのデータ又はプログラムを、インタフェース１７０７、外部バス１７０６、ブリッジ１７０５、及びホストバス１７０４を介して接続されているＲＡＭ１７０３に供給する。リムーバブル記録媒体１７１３も、ハードディスクと同様のデータ記録領域として利用可能である。
【００６０】
接続ポート１７１４は、外部接続機器１７１５を接続するポートであり、ＵＳＢ、ＩＥＥＥ１３９４等の接続部を持つ。接続ポート１７１４は、インタフェース１７０７、及び外部バス１７０６、ブリッジ１７０５、ホストバス１７０４等を介してＣＰＵ１７０１等に接続されている。通信部１７１６は、ネットワークに接続され、外部とのデータ通信処理を実行する。データ読み取り部１７１７は、例えばスキャナであり、ドキュメントの読み取り処理を実行する。データ出力部１７１８は、例えばプリンタであり、ドキュメントデータの出力処理を実行する。
【００６１】
なお、図１７に示す画像処理装置のハードウェア構成は、１つの構成例を示すものであり、本実施の形態は、図１７に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１７に示すシステムが複数互いに通信回線によって接続されていて互いに協調動作するようにしてもよい。
【００６２】
なお、前述の実施の形態において、「提示」としたものは、ディスプレイ等の表示装置への表示の他に、プリンタ等の印刷装置への印刷、スピーカー等の音声出力装置への音声の出力等があり、それらの組み合わせであってもよい。
【００６３】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ）、フラッシュ・メモリ、ランダム・アクセス・メモリ（ＲＡＭ）等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００６４】
１００…情報処理装置
１１０…制御モジュール
１２０…受付モジュール
１３０…費用負担先抽出モジュール
１４０…利用者ＩＤ・費用負担先ＩＤ記憶モジュール
１５０…費用負担先決定モジュール
１６０…計数値記憶制御モジュール
１７０…実行モジュール
１８０…計数モジュール
１９０…計数値・費用負担先ＩＤ記憶モジュール
２１０…複合機
２２０…ＩＤ情報管理サーバ
２３０…計数値記録サーバ
２４０…通信回線
２９０…利用者
３１０…複合機
３２０…ＩＤ情報記憶装置
３３０…計数値情報記憶装置
【図１】
2012023563.tif 000003
【図２】
2012023563.tif 000004
【図３】
2012023563.tif 000005
【図４】
2012023563.tif 000006
【図５】
2012023563.tif 000007
【図６】
2012023563.tif 000008
【図７】
2012023563.tif 000009
【図８】
2012023563.tif 000010
【図９】
2012023563.tif 000011
【図１０】
2012023563.tif 000012
【図１１】
2012023563.tif 000013
【図１２】
2012023563.tif 000014
【図１３】
2012023563.tif 000015
【図１４】
2012023563.tif 000016
【図１５】
2012023563.tif 000017
【図１６】
2012023563.tif 000018
【図１７】
2012023563.tif 000019